(57)【要約】【課題】従来のロールホルダー用カバーは、単に模様や絵など表示したカバーであるので、ロールホルダー本体のカバー上に取り付けることで、ペーパーを引き出すに連動して玩具体の一部が可動するロールホルダー用玩具を提供する。【解決手段】ロールホルダー本体２のカバー３の幅と長さが略同じ大きさの連結基板５の後部に同じ幅を有する基板４をヒンジ６連結し、その対向側前部には、前記連結基板５の長さの略半分で、且つ、中ほどに開口穴７を設けて成る作動基板８をヒンジ６連結して成る前記開口穴７に、駆動輪１１と複数個のギヤ１２と作動板１３を組み合わせて成る駆動装置１６をカバー容体内１０に納めて成る玩具体１４を形成し、その玩具体１４の前記駆動輪１１の端部が、前記作動基板８の開口穴７の裏側に突出する状態に取り付けるとともに、前記作動板１３には、前記カバー容体１０より一定長突出する可動体１７を取り付けたロールホルダー用玩具１を構成する。【選択図】図１
0003139224.tif 000002
【実用新案登録請求の範囲】
【請求項１】
ロールホルダー本体に取り付ける玩具であって、前記ロールホルダー本体のカバーの幅と長さが略同じ大きさの連結基板の後部に同じ幅を有する基板をヒンジ連結し、その対向側前部には、前記連結基板の長さの略半分で、且つ、中ほどに開口穴を設けて成る作動基板をヒンジ連結して成る前記開口部に、駆動輪と複数個のギヤと作動板を組み合わせて成る駆動装置をカバー容体内に納めて成る玩具体を形成し、その玩具体の前記駆動輪の一部が、前記作動基板の開口穴裏側に突出する状態に取り付けるとともに、前記作動板に、前記カバー容体より一定長突出する可動体を取り付けて成る構成を特徴とするトイレのロールホルダー用玩具。
【請求項２】
前記する基板から作動板面に、装飾カバーを組み合わせて成る請求項１記載のトイレのロールホルダー用玩具。
【考案の詳細な説明】
【技術分野】
【０００１】  本考案は、トイレのロールホルダー本体のペーパーを引き出すに連動して、動物形態を成す玩具の尻尾が左右に振れたり動くことで面白く、且つ、個室空間における楽しさを得ることで、とかくトイレを嫌がる子供も喜んで日常習慣を得られるロールホルダー用玩具に関する。
【背景技術】
【０００２】  従来、トイレは実用的個室であるため、とかく子供一人で行くのは嫌がる傾向にあり、またインテリアの面でも装飾的な個室ではないため、せいぜい花の香りなどを主とする消臭剤や芳香剤が置かれていた。【０００３】  また、トイレ内に備えられるロールホルダーは実用的ではあるが見栄えが悪いため、ホルダーのカバーに適度な重さとともに、模様や色彩、絵などを表示した装飾カバーをホルダーに取り付ける技術がある。（例えば、特許文献１参照）【０００４】  さらに、トイレで用を済ませた際に、水を流す音を消すためにメロデーや音声を発生させる電池を電源とする音声発生装置がある。（例えば、特許文献２参照）
【特許文献１】公開実用新案平３−１１２０９５公報
【特許文献２】特開２００１−２８６４１９公報
【考案が解決しようとする課題】
【０００５】  前記する公開実用新案平３−１１２０９５公報による技術は、ペーパーホルダーのカバーを覆う大きさの布地の表面に、単に絵や図柄、色彩を施したカバーであるので装飾的ではあるが、取り立ててそれ以上の機能や効果を得られるものではない。
【０００６】  さらに特開２００１−２８６４１９公報による技術は、トイレ使用時における音声発生装置であるが、電池を内蔵した本体内に音声発生装置や報知手段を備えた本体の上に人形やキャラクターなどの形象体を取り付けたものであり、設置場所としてトイレットペーパーのホルダー本体上に置くものである。しかし、その構成はいくつかの電子パーツを備えるとともに電池が切れれば作動せず、コスト高要因となる。また操作は自動ではないため子供や高齢者では面倒である。また、その本体上に人形やキャラクターなど設けているが、とりわけ印象に残る形態でもなく装飾的な玩具とは言えないものであり、取り立ててトイレ内に置くにふさわしいトイレ用音声発生装置ではない。
【課題を解決するための手段】
【０００７】  本考案は、前記するような従来の不便や欠点を解消するために、請求項１においては、ロールホルダー本体のカバーの幅と長さが略同じ大きさの連結基板の後部に、同じ幅を有する基板をヒンジ連結し、その対向側前部には、前記連結基板の長さの半分程度で、且つ、中央部に開口穴を設けて成る作動基板をヒンジ連結して成る前記作動基板の開口部に、駆動輪と複数個のギヤと作動板を組み合わせて成る駆動装置を、カバー容体内に納めて成る玩具体の前記した駆動輪が、前記作動基板の開口穴より適度に突出する状態に取り付けるとともに、前記作動板に、カバー容体より一定長突出する可動体を取り付けたロールホルダー用玩具とすることで、ロールペーパーを引き出すに連動して犬のお尻形態を成すカバー容体の尻尾が左右に振れる玩具とする。
【０００８】  請求項２においては、前記する基板から作動板面に装飾カバーを組み合わせることで、玩具体を、さらに実際感を得るように引き立たせて楽しさと趣のあるトイレのロールホルダー用玩具とする。
【考案の効果】
【０００９】  本考案によるロールホルダー用玩具は、ロールホルダー本体のカバー部を覆う基板、連結基板、作動基板の三枚それぞれがヒンジ連結されるとともに、前記作動基板に、犬のお尻形態を成すカバー容体内に駆動輪とギヤと作動板を有する駆動装置を納めた可動体付きカバー容体を前記作動板に取り付けているため、使用する際は、本考案の基板をロールホルダー本体とカバーの隙間に差し込むだけで、子供や高齢者などでもきわめて簡単にロールホルダー本体にセットすることができる。
【００１０】  以上のようにセットした後は、適度な重さを有する作動板下部に位置する駆動輪がロールペーパー面に当たるので、ペーパーを引き出すに連動して駆動輪が回転するとともに、その駆動力が駆動装置を経て、犬のお尻様を成す尻尾状の可動体が左右に振れるので、あたかも犬が喜んで尻尾を振る形態の玩具を成す。また、飛び出している可動体内にはコイルバネを内包し、且つ、柔らかい縫いぐるみ素材であるので子供が当たっても怪我をする心配はなく、さらに電地等の電源も必要としないなど、従来には見られないユニークにして楽しく、ギフトなど贈り物対象としても喜ばれる玩具を提供する。
【００１１】  このように簡単に既存のロールホルダー本体にセットできるとともに、セットされた玩具体はあたかも小屋に入る犬のお尻様を成すので見た目にも面白いうえ、さらに、第２実施形態に示すような犬小屋風の模様や色彩を施した装飾カバーを組み合わせると一層楽しさを演出できるため、とりわけ一人でトイレに行くのを嫌がる子供には喜ばれて規則正しいトイレ習慣も身に付け易いし、大人でも楽しくホット一息つけるリラックスタイムを得られるロールホルダー用玩具である。また、構造もシンプルで故障要因もなく安価に提供できるカバー兼用の玩具であり、無機的なトイレ内を癒し空間に変えるロールホルダー用玩具となる。
【考案を実施するための最良の形態】
【００１２】  本考案のロールホルダー用玩具の第１実施形態を、図１に示す一部欠損した分解斜視図と図２に示す要部拡大断面図、図３に示す基本駆動装置部の平面図、図４に示すロールホルダー本体に装着した状態を示す斜視図で説明する。【００１３】  第１実施形態におけるロールホルダー用玩具１は、まず、合成樹脂等による薄くても適度な腰の強さを有する板材で、ロールホルダー本体２のカバー３と同じ幅で、且つ、一定の長さの基板４の一方端部に、それと同じ幅で、前記カバー３と略同じ長さの連結基板５をヒンジ６連結し、さらに、その連結基板５の前部には、同じ幅で、且つ、連結基板５の略半分程度の長さの中ほどに、一定の大きさの開口穴７を設けた作動基板８をヒンジ６連結して三枚が屈曲自在な板体を形成する。【００１４】  次に、その三枚連結形成して成る前記作動基板８の開口穴７部位には、ペットの犬のお尻形態を成す後部に溝穴状の動作穴９を設けたカバー容体１０内に、駆動輪１１と複数個のギヤ１２，１２Ａ，１２Ｂと作動板１３から成る駆動装置１６を収めた玩具体１４が取り付けられるものとする。【００１５】  さらに、その玩具体１４を詳述すると、発泡樹脂または軟質合成樹脂材等による動物形、例えば、犬のお尻形態を成すカバー容体１０の下部内に、図２または図３に示すケース１５下部から一部飛び出す状態に位置したギヤ１２付き駆動輪１１を取り付け、その駆動輪１１及びギヤ１２の回転を、直角に回転伝動する複数個のギヤ１２Ａ，１２Ｂを組み合わせた端部に作動板１３を係合させた駆動装置１６を、前記するお尻状のカバー容体１０内に納めるとともに、前記カバー容体１０の動作穴９から、内部にコイルバネを内包した尻尾状の可動体１７を前記作動板１３に取り付けた玩具体１４を、前記作動基板８の開口穴７部に取り付けて成るロールホルダー用玩具１を構成する。【００１６】  尚、前記駆動輪１１は、ロールペーパー面に接触して駆動力を得るものであるため、できるだけ摩擦度が高い方が好ましい。また前記する可動体１７は、左右又は前後、上下などの動きによりギヤ１２，１２Ａ等の組み合わせや個数が異なるので、特に詳述はしない。【００１７】  第１実施形態におけるロールホルダー用玩具は１、基板４と連結基板５と作動基板８の三枚それぞれヒンジ６連結されるとともに、前記作動基板８に設けた開口穴７部には、犬のお尻形態を成すカバー容体１０の内部に駆動装置１６を納めて成る前記作動板１３に、前記カバー容体１０の外部に突き出した状態に可動体１７を取り付けるため、ロールホルダー本体２にロールペーパーをセットした場合、ペーパーを引き出すに連動して駆動輪１１が回転して、犬のお尻形態を成すカバー容体１０後部より突出した尻尾状の可動体１７が左右に振れ、あたかも犬が喜んでいるように動くとともに、基板４と連結基板５はヒンジ６連結しているので、ロールペーパーの交換は簡単にできる。【００１８】  さらに、ロールホルダー用玩具の第２実施形態を次に示す。【００１９】  ロールホルダー用玩具の第２実施形態を図５に示す装飾カバーと、図６に示す使用状態の斜視図で説明する。
本実施形態は、ロールホルダー用玩具１本体は前記第１実施形態と同じであるが、そのロールホルダー用玩具１の玩具体１４に関連する装飾カバー１８を組み合わせるものである。前記したロールホルダー用玩具１を形成する基板４と連結基板５と作動基板８を覆う幅と長さの布地または軟質合成樹脂シート素材、厚紙等で成る装飾カバー１８の一方の作動基板８部に、前記した犬のお尻形態を成す玩具体１４に合う欠損部１９を設けるとともに、その作動基板８と連結基板５部に犬小屋状の模様２０を施した装飾カバー１９を形成し、その装飾カバー１８を、前記するロールホルダー用玩具１に組み合わせる構成である。【００２０】  第２実施形態によるロールホルダー用玩具１本体は第１実施形態と同じであるが、玩具体１４の犬のお尻形態に合わせて、犬小屋状の模様２０や色彩を施した装飾カバー１８を組み合わせるので、使用する際は図６に示すようにロールホルダー本体２にセットする基板４とともに隙間に差し込むと簡単に取り付けられ、また洗濯などする場合は容易に取り外せるとともに、ロールホルダー本体２上面を美しく覆えるうえ、あたかも犬が小屋に入りつつ尻尾を振る状態を一層面白く趣きを高められる。【００２１】  本考案による玩具を構成する基板４や連結基板５、作動基板８の素材は合成樹脂材等がよいが、木材や軽い金属でも差し支えない。さらにヒンジ６は軸棒を用いた蝶番タイプを図示しているが、合成樹脂の型成形で連結部を薄く一体形成するものであってもよい。加えて、本案の玩具体１４は犬の形態を成しているが猫や他の動物でもよいし、また可動体１７も尻尾以外に手や足、耳、首など、対象はどこでも構わないものである。さらに装飾カバー１８は、子供が当たっても危なくない柔軟な素材であれば多少立体的であっても差し支えず、いずれも特に限定するものではない。
【図面の簡単な説明】
【００２２】
【図１】本考案のロールホルダー用玩具の第１実施形態を示す分解斜視図である。
【図２】第１実施形態のロールホルダー玩具の要部を示す拡大断面図である。
【図３】第１実施形態のロールホルダーの基本駆動装置部を示す平面図である。
【図４】第１実施形態のロールホルダー用玩具をロールホルダー本体に装着した状態を示す斜視図である。
【図５】本考案のロールホルダー用玩具の装飾カバーを示す斜視図である。
【図６】第２実施形態の使用状態を示す斜視図である。
【符号の説明】
【００２３】１  ロールホルダー用玩具
２  ロールホルダー本体
３  カバー
４  基板
５  連結基板
６  ヒンジ
７  開口穴
８  作動基板
９  動作穴
１０  カバー容体
１１  駆動輪
１２  ギヤ
１２Ａ  ギヤ
１２Ｂ  ギヤ
１３  作動板
１４  玩具体
１５  ケース
１６  駆動装置
１７  可動体
１８  装飾カバー
１９  欠損部
２０  模様
【図１】
0003139224.tif 000003
【図２】
0003139224.tif 000004
【図３】
0003139224.tif 000005
【図４】
0003139224.tif 000006
【図５】
0003139224.tif 000007
【図６】
0003139224.tif 000008